(57)【要約】【課題】受信信号を復調する受信機部を多数のユーザの信号を処理するために複数の信号処理基板に分割している無線基地局装置において、各基板間の配線数を削減する。【解決手段】複数の復調信号処理基板１１と、復調部１から出力された各ユーザ毎の仮判定値及び伝送路推定値を入力とし、各ユーザ毎の干渉レプリカ信号を出力する干渉レプリカ生成部２と、これら干渉レプリカ信号を合成する共通のレプリカ合成部３と、受信信号からレプリカ合成部３で合成された干渉レプリカ信号を減算し、残差信号を出力する干渉除去部４とを実装した干渉キャンセラ処理基板６１とを備える。【選択図】          図２
2005020263.tif 000002
【特許請求の範囲】
【請求項１】
受信信号の復調を行う無線基地局装置であって、
前記受信信号から各ユーザ毎の仮判定値及び伝送路推定値を出力する複数の復調部を実装した復調信号処理基板を有し、
複数の前記復調信号処理基板と、
これら複数の復調信号処理基板の復調部から出力された各ユーザ毎の仮判定値及び伝送路推定値を入力とし、前記各ユーザ毎の干渉レプリカ信号を出力する干渉レプリカ生成部と、これら干渉レプリカ信号を合成する共通のレプリカ合成部と、前記受信信号から前記レプリカ合成部で合成された干渉レプリカ信号を減算し、残差信号を出力する干渉除去部とを実装した干渉キャンセラ処理基板とを備えたことを特徴とする無線基地局装置。
【請求項２】
復調信号処理基板に時分割多重部と、干渉キャンセラ処理基板に時分割分離部とを実装し、各ユーザ毎の仮判定値及び伝送路推定値を時分割多重して伝送することを特徴とする請求項１記載の無線基地局装置。
【請求項３】
復調信号処理基板と干渉キャンセラ処理基板に光電気変換器及び電気光変換器を実装し、前記復調信号処理基板と前記干渉キャンセラ処理基板との間の信号伝送は光信号を用いて行うことを特徴とする請求項２記載の無線基地局装置。
【請求項４】
復調信号処理基板と干渉キャンセラ処理基板に光波長多重分離器を実装し、前記復調信号処理基板と前記干渉キャンセラ処理基板との間の信号伝送を波長多重して行うことを特徴とする請求項３記載の無線基地局装置。
【請求項５】
受信信号の復調を行う無線基地局装置であって、
前記受信信号から各ユーザ毎の仮判定値及び伝送路推定値を出力する複数の復調部と、前記各ユーザ毎の仮判定値及び伝送路推定値を入力とし、各ユーザ毎の干渉レプリカ信号を出力する干渉レプリカ生成部と、これら干渉レプリカ信号を合成する第１のレプリカ合成部とを実装した復調信号処理基板を有し、
複数の前記復調信号処理基板と、
これら複数の復調信号処理基板のレプリカ合成部から出力された干渉レプリカ信号を入力とし、これら干渉レプリカ信号を合成する第２のレプリカ合成部と、前記受信信号から前記第２のレプリカ合成部で合成された干渉レプリカ信号を減算し、残差信号を出力する干渉除去部とを実装した干渉キャンセラ処理基板とを備えたことを特徴とする無線基地局装置。
【請求項６】
復調信号処理基板と干渉キャンセラ処理基板に光電気変換器及び電気光変換器を実装し、前記復調信号処理基板と前記干渉キャンセラ処理基板との間の信号伝送は光信号を用いて行うことを特徴とする請求項５記載の無線基地局装置。
【請求項７】
復調信号処理基板と干渉キャンセラ処理基板に光波長多重分離器を実装し、前記復調信号処理基板と前記干渉キャンセラ処理基板との間の信号伝送を波長多重して行うことを特徴とする請求項６記載の無線基地局装置。
【発明の詳細な説明】
【０００１】
【発明の属する技術分野】
本発明は、干渉キャンセラ機能を有する無線基地局装置に関するものである。
【０００２】
【従来の技術】
従来の無線基地局装置においては、受信信号を復調する受信機部を多数のユーザの信号を処理するために複数の信号処理基板に分割して処理する際に、信号処理基板には復調部、干渉レプリカ生成部、レプリカ合成部をそれぞれの基板に重複して実装する構成をとっていた。
【０００３】
また、同一基板内での干渉レプリカ合成部への基板内配線数を削減するのを目的として、レプリカ加算をシリアル接続で行う構成をとっていた（例えば、特許文献１参照）。
【０００４】
【特許文献１】
特開２０００−３１２２００号公報
【０００５】
【発明が解決しようとする課題】
受信信号を復調する受信機部を多数のユーザの信号を処理するために複数の信号処理基板に分割している無線基地局装置においては、各信号処理基板で生成される各ユーザ毎の干渉レプリカ信号を各基板間で授受する必要があるが、接続形態は１対多接続となるとともに、特にＣＤＭＡのような拡散変調信号の場合、干渉レプリカ信号は拡散変調信号の伝送速度の４倍程度と高速になり、１ユーザの干渉レプリカ信号を伝送する帯域を確保するために基板間の配線数を増やす必要がある。
【０００６】
このような干渉キャンセラを含む無線基地局装置では基板間の配線数が非常に多くなるという問題があり、この場合基板間配線数に合わせて信号処理基板端に必要なトランシーバ回路も非常に多く必要となり回路規模や消費電力が増大するという問題もある。また、無線基地局装置で収容するユーザ数が増えれば増えるほど、干渉キャンセラ処理部の干渉レプリカ生成部やレプリカ合成部の回路規模が増大するという問題があった。
【０００７】
この発明は、上述のような課題を解決するためになされたものであり、受信信号を復調する受信機部を多数のユーザの信号を処理するために複数の信号処理基板に分割している無線基地局装置において、各基板間の配線数を削減するとともに、装置全体の回路規模や消費電力を削減することを目的とする。
【０００８】
【課題を解決するための手段】
この発明に係る無線基地局装置においては、受信信号の復調を行う無線基地局装置であって、前記受信信号から各ユーザ毎の仮判定値及び伝送路推定値を出力する複数の復調部を実装した復調信号処理基板を有し、複数の前記復調信号処理基板と、これら複数の復調信号処理基板の復調部から出力された各ユーザ毎の仮判定値及び伝送路推定値を入力とし、前記各ユーザ毎の干渉レプリカ信号を出力する干渉レプリカ生成部と、これら干渉レプリカ信号を合成する共通のレプリカ合成部と、前記受信信号から前記レプリカ合成部で合成された干渉レプリカ信号を減算し、残差信号を出力する干渉除去部とを実装した干渉キャンセラ処理基板とを備えるようにしたものである。
【０００９】
【発明の実施の形態】
実施の形態１．
この発明の実施の形態１における無線基地局装置を以下、図面に基づいて説明する。図１は干渉キャンセラを含む無線基地局装置の受信機復調部１ユーザあたりの基本回路ブロック構成を示し、受信信号は各ユーザ毎の第一復調部１に入力され、パス毎に逆拡散部１０１で逆拡散されてユーザ毎・パス毎の信号が抽出される。この逆拡散された信号は伝送路推定部１０２に入力されて伝送路特性が推定されその伝送路推定値とともに乗算器１０３で乗算されることで伝送路の影響を低減した信号が得られる。
【００１０】
各パス毎の乗算器１０３の出力はパス合成部１０４で合成されて判定器１０５にて仮判定値が求められる。第一復調部１で求められた仮判定値と伝送路推定値は干渉レプリカ生成部（ＩＲＣＵ：Ｉｎｔｅｒｆｅｒｅｎｃｅ  ＲｅｐｌｉｃａＣａｎｃｅｌｌｅｒ  Ｕｎｉｔ）２の乗算器２０１に入力され再拡散部２０２で再び拡散されることでユーザ毎・パス毎の信号成分のレプリカである干渉レプリカ信号を得る。この干渉レプリカ信号は他のユーザの干渉レプリカ信号とともにレプリカ合成部３で合成された後、干渉除去部４で受信信号から減算されることにより各ユーザの干渉を除去した残差信号が得られる。この残差信号は第二復調部５の逆拡散部５０１で逆拡散され各ユーザ毎・パス毎の残差成分が抽出される。
【００１１】
第一復調部からの仮判定値・伝送路推定値は乗算器５０６で乗算され各ユーザ毎・パス毎のシンボルレプリカを求め、逆拡散部５０１から出力された残差成分と加算器５０７で加算される。干渉が除去されたこの加算器５０７の出力信号は第一復調部１と同様に伝送路推定部５０２に入力されて伝送路特性が推定されその伝送路推定値とともに乗算器５０３で乗算されることで伝送路の影響を低減した信号が得られる。各パス毎の乗算器５０３の出力はパス合成部５０４で合成されて判定器５０５にて第一復調部１より確度の高い判定値を得ることができる。
【００１２】
図２は実施の形態１における無線基地局装置の受信機復調部のブロック構成を示し、無線基地局装置では多数のユーザの信号を処理するため全ユーザの信号を１枚の信号処理基板に各ユーザ毎の復調部を実装して処理することは難しく複数枚の信号処理基板に分割して処理され、この実施の形態１では、受信信号の復調処理を行う復調信号処理基板がｎ枚で構成され復調信号処理基板１枚あたりｋ個のユーザの信号を処理する場合を想定する。
【００１３】
復調信号処理基板１１（１）にはｋ個のユーザ分の第一復調部１（１１）〜１（１ｋ）と第二復調部５（１１）〜５（１ｋ）が実装され、復調信号処理基板１１（ｎ）にはｋ個のユーザ分の第一復調部１（ｎ１）〜１（ｎｋ）と第二復調部５（ｎ１）〜５（ｎｋ）が実装され、トータル（ｋ×ｎ）個のユーザ分の信号が処理される。干渉レプリカ生成部２（１１）〜２（ｎｋ）とこれら干渉レプリカ生成部２（１１）〜２（ｎｋ）から出力される干渉レプリカ信号を合成するレプリカ合成部３とこのレプリカ合成部３で合成された後に受信信号からこの合成信号を減算して残差信号を得る干渉除去部４は、復調信号処理基板１１（１）〜１１（ｎ）とは別の干渉キャンセラ基板６１に実装される。
【００１４】
上記の構成をとることで、干渉キャンセラ処理に必要な基板間の主な信号である仮判定値、伝送路推定値、残差信号は復調信号処理基板１１（１）〜１１（ｎ）間ではなく、復調信号処理基板１１（１）〜１１（ｎ）と干渉キャンセラ処理基板６１との間で伝送される。復調信号処理基板１１（１）〜１１（ｎ）に実装された第一復調部１（１１）〜１（ｎｋ）の出力（仮判定値及び伝送路推定値）はそれぞれ干渉キャンセラ基板６１に実装された干渉レプリカ生成部２（１１）〜２（ｎｋ）へ１対１接続となり、干渉キャンセラ処理基板６１に実装された干渉除去部４の出力（残差信号）は復調信号処理基板１１（１）〜１１（ｎ）に実装された第二復調部５（１１）〜５（ｎｋ）へ１対ｎ接続となる。
【００１５】
ここで、各基板間の配線数について従来の構成をとった場合と本実施の形態１の構成とした場合を比較する。従来の復調信号処理基板内で干渉キャンセラを実現するために各ユーザ毎の信号から干渉レプリカ信号を生成する干渉レプリカ生成部を各復調信号処理基板に実装し、レプリカ合成部と干渉除去部も各信号処理基板それぞれに重複して実装する構成では各ユーザ毎の干渉レプリカ信号を各復調信号処理基板のレプリカ合成部に伝送する必要がある。このような構成で復調信号処理基板がｎ枚、各復調信号処理基板１枚あたりｋ個のユーザの信号を処理する場合を想定すれば、干渉レプリカ信号の復調信号処理基板間伝送のための配線は１対（ｎ−１）の接続形態でｎ×ｋ本必要となる。さらに干渉レプリカ信号は、ユーザ信号の復調に用いるデータの伝送速度でなければ所望の干渉除去効果は得られず、例えばＣＤＭＡのような拡散変調信号の場合は、干渉レプリカ信号は拡散変調信号の伝送速度の４倍程度と高速になり、１ユーザの干渉レプリカ信号を伝送する帯域を確保するためにｍ本の配線が必要であるとすると、復調信号処理基板間の配線数は１対（ｎ−１）の接続形態で（ｍ×ｎ×ｋ）本が必要となる。
【００１６】
一方、本実施の形態１の構成では、仮判定値、伝送路推定値は干渉レプリカ信号に比べ伝送速度が低く、１ユーザの仮判定値・伝送路推定値を伝送する帯域を確保するためにｌ本の配線が必要とするとｌ＜ｍの関係にある。また、仮判定値、伝送路推定値のための基板間接続は復調信号処理基板１１（１）〜１１（ｎ）から干渉キャンセラ処理基板６１への１対１接続であるため、上記のような１対多接続に比べ高い伝送速度が得やすく同じ伝送帯域を実現するのに必要な配線数が少なくて済む。たとえば１対１接続では配線数が１／ｊで済むとした場合、仮判定値、伝送路推定値のための基板間配線数は（ｌ×ｎ×ｋ）／ｊ本となる。残差信号は干渉レプリカ信号と同速度であるため残差信号のための配線数は１対ｎ接続でｍ本となる。したがってこの実施の形態１の構成での干渉キャンセラのための基板間配線数は（ｍ＋（ｌ×ｎ×ｋ）／ｊ）本、ｌ＜ｍとなる。
【００１７】
具体的な数値を適用しての基板間配線数の比較例は図９に示す通りであり、上記従来の例では（ｍ×ｎ×ｋ）＝８０００に対し、本実施の形態１の例では（ｍ＋（ｌ×ｎ×ｋ）／ｊ）＝５０８と大幅に配線数を削減できることになる。
【００１８】
上述したように基板間配線数を削減することで、配線の基板端に設けるトランシーバ回路の数も同様に削減可能であり、回路規模や消費電力を削減することができる。さらに従来復調信号処理基板内で干渉キャンセラ処理を実現するために、レプリカ合成部と干渉除去部は各信号処理基板それぞれに重複して実装されていたが、復調信号処理基板と別基板である干渉キャンセラ処理基板６１に実装することで各復調信号処理基板１１（１）〜１１（ｎ）の間で共有でき、無線基地局全体の回路規模を削減することもできる。また干渉キャンセラ処理回路が復調信号処理回路と別の基板に実装されていることから干渉キャンセラ機能を必要としない場合は干渉キャンセラ処理基板６１を取り外すことで容易に干渉キャンセラ処理部を分離することも可能となる。
【００１９】
実施の形態２．
図３は実施の形態２における無線基地局装置の受信機復調部のブロック構成を示し、干渉キャンセラ処理基板６２と復調信号処理基板１２（１）〜１２（ｎ）との間で伝送する第一復調部１（１１）〜１（ｎｋ）から出力された各ユーザ毎の仮判定値、伝送路推定値は、復調信号処理基板１２（１）〜１２（ｎ）に実装された時分割多重部２１（１）〜２１（ｎ）で時分割多重を行い、干渉キャンセラ処理基板６２に実装された時分割分離部２２（１）〜２２（ｎ）に伝送し、時分割分離部２２（１）〜２２（ｎ）で各ユーザ毎の信号に分離して各ユーザ毎の干渉レプリカ生成部２（１１）〜２（ｎｋ）へ入力される。上記以外の構成、動作については上述した実施の形態１と同様である。
【００２０】
上記の構成をとることで仮判定値、伝送路推定値のための基板間接続については、時分割多重部２１（１）〜２１（ｎ）の時分割多重数をｉとすれば、実施の形態１からさらに１／ｉに配線数を削減でき、具体的な数値を適用しての基板間配線数の比較例は図９に示す通りであり、本実施の形態２の例では、（ｍ＋（ｌ×ｎ×ｋ）／（ｊ×ｉ））＝３３となり、配線数をより削減することができるとともに、配線の基板端に設けるトランシーバ回路の数も同様に削減可能である。
【００２１】
実施の形態３．
図４は実施の形態３における無線基地局装置の受信機復調部のブロック構成を示し、干渉キャンセラ処理基板６３と復調信号処理基板１３（１）〜１３（ｎ）との間で伝送する第一復調部１（１１）〜１（ｎｋ）から出力された各ユーザ毎の仮判定値、伝送路推定値は、時分割多重部２１（１）〜２１（ｎ）で時分割多重された後、復調信号処理基板１３（１）〜１３（ｎ）に実装された電気光変換器（Ｅ／Ｏ）２３（１）〜２３（ｎ）で光信号に変換して光ファイバまたは光導波路を通して干渉キャンセラ処理基板６３に実装された光電気変換器（Ｏ／Ｅ）２４（１）〜２４（ｎ）に伝送し、光電気変換器（Ｏ／Ｅ）２４（１）〜２４（ｎ）で電気信号に変換され時分割分離部２２（１）〜２２（ｎ）で各ユーザ毎の干渉レプリカ生成部２（１１）〜２（ｎｋ）へ入力される。
【００２２】
また、干渉除去部４から出力される残差信号は干渉キャンセラ処理基板６３に実装された電気光変換器（Ｅ／Ｏ）２５（１）〜２５（ｎ）で光信号に変換して光ファイバまたは光導波路を通して復調信号処理基板１３（１）〜１３（ｎ）に実装された光電気変換器（Ｏ／Ｅ）２６（１）〜２６（ｎ）に伝送し、光電気変換器（Ｏ／Ｅ）２６（１）〜２６（ｎ）で電気信号に変換され第二復調部５（１１）〜５（ｎｋ）に入力される。上記以外の構成、動作については上述した実施の形態２と同様である。
【００２３】
上記の構成をとることで基板間の伝送媒体に光ファイバまたは光導波路を用い光信号で信号伝送を行うことにより電気配線の場合に比べ高速な基板間伝送ができ、たとえば電気配線に対しｈ倍の基板間伝送速度が得られる場合、基板間伝送の帯域を実現するために必要な基板間接続数が電気配線に対して１／ｈに削減可能となり、具体的な数値を適用しての基板間配線数の比較例は図９に示す通りであり、本実施の形態３の例では、（（ｍ＋（ｌ×ｎ×ｋ）／（ｊ×ｉ））／ｈ）＝２２となり、配線数をより削減することができるとともに。配線の基板端に設けるトランシーバ回路の数も同様に削減可能である。また、高速な基板間伝送を活用し干渉キャンセラ処理基板と復調信号処理基板との間で伝送される信号の情報量を増やすことで干渉キャンセラの性能を上げることも可能である。
【００２４】
実施の形態４．
図５は実施の形態４における無線基地局装置の受信機復調部のブロック構成を示し、干渉キャンセラ処理基板６４と復調信号処理基板１４（１）〜１４（ｎ）との間で伝送する第一復調部１（１１）〜１（ｎｋ）から出力された各ユーザ毎の仮判定値、伝送路推定値は、時分割多重部２１（１）〜２１（ｎ）で時分割多重された後、電気光変換器（Ｅ／Ｏ）２３（１）〜２３（ｎ）で波長Ｗ１の光信号に変換し、復調信号処理基板１４（１）〜１４（ｎ）に実装された光波長多重分離器（ＷＤ）２７（１）〜２７（ｎ）で波長多重され光ファイバまたは光導波路を通して干渉キャンセラ処理基板６４に実装された光波長多重分離器（ＷＤ）２８（１）〜２８（ｎ）に伝送し、光波長多重分離器（ＷＤ）２８（１）〜２８（ｎ）で波長Ｗ１の信号を分離して光電気変換器（Ｏ／Ｅ）２４（１）〜２４（ｎ）に入力して電気信号に変換され時分割分離部２２（１）〜２２（ｎ）で各ユーザ毎の干渉レプリカ生成部２（１１）〜２（ｎｋ）へ入力される。
【００２５】
また、干渉除去部４から出力される残差信号は電気光変換器（Ｅ／Ｏ）２５（１）〜２５（ｎ）で波長Ｗ２の光信号に変換し、干渉キャンセラ処理基板６４に実装された光波長多重分離器（ＷＤ）２８（１）〜２８（ｎ）で波長多重され、上記仮判定値、伝送路推定値の伝送に用いたのと同じ光ファイバまたは光導波路を通して復調信号処理基板１４（１）〜１４（ｎ）に実装された光波長多重分離器（ＷＤ）２７（１）〜２７（ｎ）に伝送され、光波長多重分離器（ＷＤ）２７（１）〜２７（ｎ）で波長Ｗ２の信号を分離して光電気変換器（Ｏ／Ｅ）２６（１）〜２６（ｎ）に入力され電気信号に変換された後に第二復調部５（１１）〜５（ｎｋ）に入力される。上記以外の構成、動作については上述した実施の形態３と同様である。
【００２６】
上記の構成をとることで波長多重伝送を用いて同一の光ファイバまたは光導波路を往路と復路で共有することで基板間接続数を上述した実施の形態３の１／２に削減でき、具体的な数値を適用しての基板間配線数の比較例は図９に示す通りであり、本実施の形態４の例では、（（（ｍ＋（ｌ×ｎ×ｋ）／（ｊ×ｉ））／ｈ）／２）＝１１となり、配線数をさらに削減することができる。
【００２７】
実施の形態５．
図６は実施の形態５における無線基地局装置の受信機復調部のブロック構成を示し、復調信号処理基板１５（１）にはｋ個のユーザ分の第一復調部１（１１）〜１（１ｋ）と第二復調部５（１１）〜５（１ｋ）と干渉レプリカ生成部２（１１）〜２（１ｋ）と、この干渉レプリカ生成部２（１１）〜２（１ｋ）で生成された干渉レプリカ信号を合成するレプリカ合成部３ａ（１）が実装され、同様に信号処理基板１５（ｎ）にはｋ個のユーザ分の第一復調部１（ｎ１）〜１（ｎｋ）と第二復調部５（ｎ１）〜５（ｎｋ）と干渉レプリカ生成部２（ｎ１）〜２（ｎｋ）と、この干渉レプリカ生成部２（ｎ１）〜２（ｎｋ）で生成された干渉レプリカ信号を合成するレプリカ合成部３ａ（ｎ）が実装され、トータル（ｋ×ｎ）個のユーザ分の信号が処理される。
【００２８】
干渉レプリカ生成部２（１１）〜２（ｎｋ）から出力された干渉レプリカは復調信号処理基板１５（１）〜１５（ｎ）内に実装されたそれぞれのレプリカ合成部３ａ（１）〜３ａ（ｎ）で合成される。これらレプリカ合成部３ａ（１）〜３ａ（ｎ）から出力された干渉レプリカを入力し合成するレプリカ合成部３ｂとこのレプリカ合成部３ｂで合成された後に受信信号からこの合成信号を減算して残差信号を得る干渉除去部４は、信号処理基板１５（１）〜１５（ｎ）とは別の干渉キャンセラ処理基板６５に実装される。
【００２９】
上記のようにｋユーザ分の干渉レプリカを各信号処理基板１５（１）〜１５（ｎ）でそれぞれ合成した後に干渉キャンセラ処理基板６に伝送することで、干渉レプリカの基板間伝送に必要な配線数を１／ｋに削減できる。また、この干渉レプリカの基板間伝送は１対１接続であり、具体的な数値を適用しての基板間配線数の比較例は図９に示す通りであり、従来の配線数８０００に比べて、本実施の形態５の例では（ｍ＋ｍ×ｎ／ｊ）＝１０８となり、配線数を削減でき、基板間のトランシーバ回路の数も同様に削減可能となる。
【００３０】
また、干渉レプリカ生成部２（１１）〜２（ｎｋ）は回路規模が大きく、上述した実施の形態１〜４のように干渉レプリカ生成部２（１１）〜２（ｎｋ）をすべて干渉キャンセラ処理基板に実装したのに比べ、本実施の形態５のように干渉レプリカ生成部２（１１）〜２（ｎｋ）を各復調信号処理基板１５（１）〜１５（ｎ）それぞれに実装することで、干渉キャンセラ処理基板６５への回路集中を避けることができる。
【００３１】
実施の形態６．
図７は実施の形態６における無線基地局装置の受信機復調部のブロック構成を示し、干渉キャンセラ処理基板６６と復調信号処理基板１６（１）〜１６（ｎ）との間で伝送するレプリカ合成部３ａ（１）〜３ａ（ｎ）から出力された干渉レプリカ信号は、復調信号処理基板１６（１）〜１６（ｎ）に実装された電気光変換器（Ｅ／Ｏ）２３（１）〜２３（ｎ）で光信号に変換して光ファイバまたは光導波路を通して干渉キャンセラ処理基板６６に実装された光電気変換器（Ｏ／Ｅ）２４（１）〜２４（ｎ）に伝送し、光電気変換器（Ｏ／Ｅ）２４（１）〜２４（ｎ）で電気信号に変換されレプリカ合成部３ｂへ入力される。
【００３２】
また、干渉除去部４から出力される残差信号は干渉キャンセラ処理基板６６に実装された電気光変換器（Ｅ／Ｏ）２５（１）〜２５（ｎ）で光信号に変換して光ファイバまたは光導波路を通して復調信号処理基板１６（１）〜１６（ｎ）に実装された光電気変換器（Ｏ／Ｅ）２６（１）〜２６（ｎ）に伝送し、光電気変換器（Ｏ／Ｅ）２６（１）〜２６（ｎ）で電気信号に変換され第二復調部５（１１）〜５（ｎｋ）に入力される。上記以外の構成、動作については上述した実施の形態５と同様である。
【００３３】
上記の構成をとることで基板間の伝送媒体に光ファイバまたは光導波路を用い光信号で伝送を行うことにより電気配線の場合に比べ高速な基板間伝送ができ、たとえば電気配線に対しｈ倍の基板間伝送速度が得られる場合、基板間伝送の帯域を実現するために必要な基板間接続数が電気配線に対して１／ｈに削減可能であり、本実施の形態６の例では、（（２×ｍ×ｎ）／（ｊ×ｈ））＝１３４となり、配線数をさらに削減することができるとともに。配線の基板端に設けるトランシーバ回路の数も同様に削減可能である。また、高速な基板間伝送を活用して干渉キャンセラ処理基板と復調信号処理基板との間で伝送される信号の情報量を増やすことで干渉キャンセラの性能を上げることも可能である。
【００３４】
実施の形態７．
図８は実施の形態７における無線基地局装置の受信機復調部のブロック構成を示し、干渉キャンセラ処理基板６７と復調信号処理基板１７（１）〜１７（ｎ）との間で伝送するレプリカ合成部３ａ（１）〜３ａ（ｎ）から出力された干渉レプリカ信号は、電気光変換器（Ｅ／Ｏ）２３（１）〜２３（ｎ）で波長Ｗ１の光信号に変換し、信号処理基板１７（１）〜１７（ｎ）に実装された光波長多重分離器（ＷＤ）２７（１）〜２７（ｎ）で波長多重され光ファイバまたは光導波路を通して干渉キャンセラ処理基板６７に実装された光波長多重分離器（ＷＤ）２８（１）〜２８（ｎ）に伝送し、光波長多重分離器（ＷＤ）２８（１）〜２８（ｎ）で波長Ｗ１の信号を分離して光電気変換器（Ｏ／Ｅ）２４（１）〜２４（ｎ）に入力して電気信号に変換されレプリカ合成部３ｂへ入力される。
【００３５】
また、干渉除去部４から出力される残差信号は電気光変換器（Ｅ／Ｏ）２５（１）〜２５（ｎ）で波長Ｗ２の光信号に変換し、干渉キャンセラ処理基板６４に実装された光波長多重分離器（ＷＤ）２８（１）〜２８（ｎ）で波長多重され、上記仮判定値、伝送路推定値の伝送に用いたのと同じ光ファイバまたは光導波路を通して復調信号処理基板１７（１）〜１７（ｎ）に実装された光波長多重分離器（ＷＤ）２７（１）〜２７（ｎ）に伝送され、光波長多重分離器（ＷＤ）２７（１）〜２７（ｎ）で波長Ｗ２の信号を分離して光電気変換器（Ｏ／Ｅ）２６（１）〜２６（ｎ）に入力され電気信号に変換された後に第二復調部５（１１）〜５（ｎｋ）に入力される。上記以外の構成、動作については上述した実施の形態６と同様である。
【００３６】
上記の構成をとることで波長多重伝送を用いて同一の光ファイバまたは光導波路を往路と復路で共有することで基板間接続数を上述した実施の形態６の１／２に削減でき、具体的な数値を適用しての基板間配線数の比較例は図９に示す通りであり、本実施の形態７の例では、（（２×ｍ×ｎ）／（ｊ×ｈ×２））＝６７となり、配線数をさらに削減することができる。
【００３７】
【発明の効果】
以上のように、この発明によれば、受信信号の復調を行う無線基地局装置であって、前記受信信号から各ユーザ毎の仮判定値及び伝送路推定値を出力する複数の復調部を実装した復調信号処理基板を有し、複数の前記復調信号処理基板と、これら複数の復調信号処理基板の復調部から出力された各ユーザ毎の仮判定値及び伝送路推定値を入力とし、前記各ユーザ毎の干渉レプリカ信号を出力する干渉レプリカ生成部と、これら干渉レプリカ信号を合成する共通のレプリカ合成部と、前記受信信号から前記レプリカ合成部で合成された干渉レプリカ信号を減算し、残差信号を出力する干渉除去部とを実装した干渉キャンセラ処理基板とを備えたことにより、基板間配線数を削減することで、配線の基板端に設けるトランシーバ回路の数も同様に削減可能であり、回路規模や消費電力を削減することができる。
【図面の簡単な説明】
【図１】本発明の実施の形態１における干渉キャンセラを含む無線基地局装置の受信機復調部１ユーザあたりの基本回路ブロック構成図である。
【図２】本発明の実施の形態１における無線基地局装置の受信機復調部のブロック構成図である。
【図３】本発明の実施の形態２における無線基地局装置の受信機復調部のブロック構成図である。
【図４】本発明の実施の形態３における無線基地局装置の受信機復調部のブロック構成図である。
【図５】本発明の実施の形態４における無線基地局装置の受信機復調部のブロック構成図である。
【図６】本発明の実施の形態５における無線基地局装置の受信機復調部のブロック構成図である。
【図７】本発明の実施の形態６における無線基地局装置の受信機復調部のブロック構成図である。
【図８】本発明の実施の形態７における無線基地局装置の受信機復調部のブロック構成図である。
【図９】具体的な数値を適用しての基板間配線数の比較例を示す図である。
【符号の説明】
１  第一復調部
２  干渉レプリカ生成部
３  レプリカ合成部
４  干渉除去部
５  第二復調部
１１  復調信号処理基板
６１  干渉キャンセラ処理基板
【図１】
2005020263.tif 000003
【図２】
2005020263.tif 000004
【図３】
2005020263.tif 000005
【図４】
2005020263.tif 000006
【図５】
2005020263.tif 000007
【図６】
2005020263.tif 000008
【図７】
2005020263.tif 000009
【図８】
2005020263.tif 000010
【図９】
2005020263.tif 000011